(57)【要約】【課題】本発明は、防塵性能に優れた防護構造及びこの防護構造を備えた電子装置を提供すること。【解決手段】本発明に係る防護構造は、電子装置に用いられ、本体部及び前記本体部に装着される取付部を備える。前記本体部には複数の防塵用リブが設けられ、前記取付部には互いに並列する複数の防塵溝が設けられ、前記防塵用リブは前記防塵溝の内面に当接するように前記防塵溝内に収容され、且つ前記取付部と前記本体部との間に形成される。【選択図】図１
2014049757.tif 000002
【特許請求の範囲】
【請求項１】
電子装置に用いられる防護構造であって、本体部及び前記本体部に装着される取付部を備え、前記本体部には複数の防塵用リブが設けられ、前記取付部には互いに並列する複数の防塵溝が設けられ、前記防塵用リブは、前記防塵溝の内面に当接するように前記防塵溝内に収容され、且つ前記取付部と前記本体部との間に形成されることを特徴とする防護構造。
【請求項２】
前記防塵溝は螺旋状を呈し、底壁と、底壁に連接される対向する２つの側壁と、を備え、前記防塵用リブは螺旋状を呈し、且つ前記底壁及び前記側壁の表面に当接するように前記防塵溝内に収容されることを特徴とする請求項１に記載の防護構造。
【請求項３】
収容孔が設けられた本体部と、ウィンドーカバーが設けられた取付部と、を備える電子装置であって、
前記本体部には複数の防塵用リブが設けられ、前記防塵用リブは前記収容孔の周縁を取り囲むように突設され、前記取付部には防塵溝が設けられ、前記防塵溝は互いに並列する複数の凹溝を形成し、且つ前記ウィンドーカバーの周縁を取り囲み、前記ウィンドーカバーは前記収容孔を貫通し、前記防塵用リブは前記防塵溝の内部に当接して収容され、前記防塵溝及び前記防塵用リブは、前記取付部と前記本体部との間に位置することを特徴とする電子装置。
【請求項４】
前記本体部は、複数の位置決めピン及び複数のホットメルトブロックをさらに備え、前記取付部は、前記位置決めピンと組み合わせられる複数の位置決め溝及び各位置決め溝の外側に形成された複数の凹部をさらに備え、前記ホットメルトブロックの片面には、線形突起及び半球状突起が設けられ、前記本体部の位置決めピンは前記位置決め溝を貫通し、前記ホットメルトブロックの半球状突起は前記取付部の凹部に係合され、前記ホットメルトブロックの線形突起は、前記本体部の位置決めピンに固定連接されることを特徴とする請求項３に記載の電子装置。
【請求項５】
前記取付部は板体をさらに備え、前記板体は正面及び背面を備え、前記ウィンドーカバーは、前記板体の正面にカバーされて係合され、前記防塵溝は前記ウィンドーカバーの周縁を取り囲むように前記板体の正面に設けられることを特徴とする請求項４に記載の電子装置。
【請求項６】
前記本体部は底板を備え、前記収容孔は前記底板を貫通し、前記防塵用リブは前記収容孔を取り囲むように前記底板の内面に設けられ、前記位置決めピンは前記底板の内面における前記防塵用リブの外周に沿って設けられることを特徴とする請求項５に記載の電子装置。
【請求項７】
前記板体における前記本体部の収容孔に対応する部位には貫通孔が設けられ、前記ウィンドーカバーは前記貫通孔の周縁をカバーし、前記位置決め溝は前記板体に設けられることを特徴とする請求項５または６に記載の電子装置。
【請求項８】
前記防塵溝の内部には、接着剤がコーティングされていることを特徴とする請求項４から７のいずれか一項に記載の電子装置。
【発明の詳細な説明】
【技術分野】
【０００１】
本発明は、防護構造及びこの防護構造を備える電子装置に関するものである。
【背景技術】
【０００２】
現在、殆んどの携帯式電子装置がカメラモジュールを備える。このカメラモジュールは、主に接着剤或いは両面テープを介して携帯式電子装置の機体の内部に固定されるか又はホットメルト或いはリベット締めの方法によって前記機体の内部に固定される。これらの方法は容易であるが、カメラモジュールと前記機体との間に隙間が生じ易い。従って、携帯式電子装置を使用する過程において、塵及び水等が前記隙間を介して前記機体の内部に入り易いため、携帯式電子装置の性能及び寿命に影響を与える可能性がある。
【発明の概要】
【発明が解決しようとする課題】
【０００３】
そこで、本発明は以上の問題点に鑑みてなされたものであり、防塵性能に優れた防護構造及びこの防護構造を備えた電子装置を提供することを目的とする。
【課題を解決するための手段】
【０００４】
上記の課題を解決するために、本発明に係る防護構造は電子装置に用いられ、本体部及び前記本体部に装着される取付部を備える。前記本体部には複数の防塵用リブが設けられ、前記取付部には互いに並列する複数の防塵溝が設けられ、前記防塵用リブは前記防塵溝の内面に当接するように前記防塵溝内に収容され、且つ前記取付部と前記本体部との間に形成される。
【０００５】
また、上記の課題を解決するために、本発明に係る電子装置は、収容孔が設けられた本体部と、ウィンドーカバーが設けられた取付部と、を備える。前記本体部には複数の防塵用リブが設けられ、前記防塵用リブは前記収容孔の周縁を取り囲むように突設され、前記取付部には防塵溝が設けられ、前記防塵溝は互いに並列する複数の凹溝を形成し、且つ前記ウィンドーカバーの周縁を取り囲み、前記ウィンドーカバーは前記収容孔を貫通し、前記防塵用リブは、前記防塵溝の内面に当接するように前記防塵溝内に収容され、前記防塵溝及び前記防塵用リブは前記取付部と前記本体部との間に位置する。
【発明の効果】
【０００６】
従来の技術とは異なり、本発明の電子装置の本体部の収容孔の周縁には螺旋状の防塵用リブが設けられており、また、取付部のウィンドーカバーの周縁には防塵溝が設けられている。前記防塵用リブは前記防塵溝内に当接して収容される。これにより、前記取付部が前記本体部に装着されると、前記収容孔の周りに複数の並列する凹溝が形成されて、塵などの異物が前記収容孔と前記ウィンドーカバーとの間の隙間から前記本体部の内部に入ることを効果的に防止することができる。
【図面の簡単な説明】
【０００７】
【図１】本発明の実施形態に係る電子装置の分解図である。
【図２】図１に示した電子装置を反対側から見た分解図である。
【図３】図１に示した電子装置の組立図である。
【図４】図３に示した電子装置を反対側から見た斜視図である。
【図５】図４に示した電子装置のＶ−Ｖ線に沿った断面図である。
【発明を実施するための形態】
【０００８】
本発明の防護構造は、携帯電話機、デジタルカメラ、コンピュータ等の電子装置に適用される。図１及び図２に示すように、本発明の実施形態に係る防護構造は、本体部１０と、取付部２０と、本体部１０に設けられている防塵用リブ１５と、取付部２０に設けられている防塵溝２５と、を備える。
【０００９】
本体部１０は、電子装置の機体であることが可能であり、底板１１と、側板１２と、複数の位置決めピン１３と、位置決めピン１３に固定連接される複数のホットメルトブロック１６と、を備える。底板１１は略矩形の板状体であり、外面１１１及び内面１１２を有する。側板１２は、底板１１の内面１１２の周縁から垂直に延伸して形成される。底板１１の一端には、底板１１を貫通する収容孔１４が設けられている。電子装置のカメラモジュールのレンズ（図示せず）は、収容孔１４を介して外部の映像を撮影する。防塵用リブ１５は螺旋状を呈し、且つ内面１１２における収容孔１４の周縁を取り囲むように突設されている。位置決めピン１３の数は四つであり、防塵用リブ１５の外周に沿って内面１１２に突設されている。各ホットメルトブロック１６の背面には線形突起１６１（図１を参照）が設けられている。各ホットメルトブロック１６の背面の片側には、複数の半球状突起１６２が設けられている。
【００１０】
取付部２０は、円形の板体２１及びウィンドーカバー２２を備える。板体２１は、正面２１１、背面２１２及び位置決めピン１３と組み合せられる複数の位置決め溝２１３を備える。板体２１の中央部には、収容孔１４に対応する貫通孔２１４がさらに設けられている。位置決め溝２１３は四つあり、位置決めピン１３の位置に合わせて、且つ板体２１の円周方向に沿って設けられている。ウィンドーカバー２２は、板体２１の正面２１１における貫通孔２１４の周縁をカバーして係合され、レンズモジュールを収容するために用いられる。また、ウィンドーカバー２２は収容孔１４を貫通して設置される。防塵溝２５は螺旋状を呈し、貫通孔２１４を取り囲むように正面２１１上に設けられている。これにより、貫通孔２１４の周りには、複数の並列に配置された凹溝が形成される。防塵溝２５の断面は台形であり、底壁２５１及び底壁２５１に連接され、且つ対向する２つの側壁２５２（図５を参照）を備える。防塵用リブ１５は、底壁２５１及び側壁２５２の表面に当接するように、防塵溝２５内に収容される。背面２１２における位置決め溝２１３の外側には、複数の円形の凹部２１５が設けられている。
【００１１】
図３、図４及び図５に示すように、本発明の防護構造を組み立てる時、取付部２０は内面１１２から本体部１０に装着され、ウィンドーカバー２２は収容孔１４を貫通して外面１１１から露出し、位置決めピン１３は位置決め溝２１３内に収容され、ホットメルトブロック１６の線形突起１６１は位置決め溝２１３内に装着され、且つホットメルト方法によって位置決めピン１３に固定連接される。この時、ホットメルトブロック１６の半球状突起１６２は凹部２１５内にそれぞれ係合され、取付部２０の板体２１は本体部１０に重ねて固定される。
【００１２】
図５から分かるように、防塵溝２５は、ウィンドーカバー２２の周縁において複数の並列する凹溝を形成し、防塵用リブ１５は、底壁２５１及び側壁２５２の表面に当接するように防塵溝２５内に収容される。上記の構造によって、外部の塵が底板１１と取付部２０の板体２１との間の隙間を介して防塵溝２５に入った場合、防塵用リブ１５が、塵を防塵溝２５の内部で留める。また、防塵溝２５は螺旋状を呈し、ウィンドーカバー２２と本体部１０との間で複数の溝状部を形成しているので、水分及び塵が収容孔１４を介して本体部１０の内部にさらに入ることを効果的に防止することができる。また、さらに防水効果を高めるために、防塵溝２５内に少量の接着剤を注入して保護膜を形成することにより、水分などが本体部１０に入ることを防止することもできる。
【００１３】
また、変形例として、防塵用リブ１５は、複数の環状（円形）或いはフレーム状（長方形）の突起により構成され、且つ収容孔１４の周縁を取り囲むように設けることができる。これに対応して、防塵溝２５は、防塵用リブ１５と組み合わせられる複数の環状凹溝であっても良い。
【００１４】
以上、本発明の好適な実施形態について詳細に説明したが、本発明は前記実施形態に限定されるものではなく、本発明の範囲内で種々の変形又は修正が可能であり、該変形又は修正も本発明の特許請求の範囲内に含まれるものであることは言うまでもない。
【符号の説明】
【００１５】
１０      本体部
１１      底板
１１１    外面
１１２    内面
１２      側板
１３      位置決めピン
１４      収容孔
１５      防塵用リブ
１６      ホットメルトブロック
１６１    線形突起
１６２    半球状突起
２０      取付部
２１      板体
２１１    正面
２１２    背面
２１３    位置決め溝
２１４    貫通孔
２１５    凹部
２２      ウィンドーカバー
２５      防塵溝
２５１    底壁
２５２    側壁
【図１】
2014049757.tif 000003
【図２】
2014049757.tif 000004
【図３】
2014049757.tif 000005
【図４】
2014049757.tif 000006
【図５】
2014049757.tif 000007